(57)【特許請求の範囲】
【請求項１】
超音波振動子を内蔵し、該超音波振動子のホーンの先端が端部に突出したハンドピースと、該ハンドピースの側部に摺動部材を装着し、該摺動部材から突出するアンビルの接触部が前記超音波振動子のホーンと対向するように装着されたアンビル部と、前記超音波振動子のホーンの先端の周囲に装着され、内端に鋭角に突出するエッジを前記ホーンの側面に接触させた支持板とからなり、前記被溶着物を溶着する時に、前記超音波振動子の前記ホーンと前記支持板の前記エッジとの間に前記被溶着物の溶着物質を溜めるようにすることを特徴とする超音波溶着器。
【請求項２】
前記支持板はテフロン（登録商標）等の耐熱樹脂で構成することを特徴とする請求項１記載の超音波溶着器。
【請求項３】
前記支持板は振動が伝わり難く、耐熱で、強度がある物質で構成されることを特徴とする請求項１記載の超音波溶着器。
【発明の詳細な説明】
【技術分野】
【０００１】
本発明は、超音波振動子のホーンの周囲に被溶着物の溶融物質が溜まるように支持板を設けた超音波溶着器に関するものである。
【背景技術】
【０００２】
従来、図６、図７及び図８に示すように、ハンドピース１の一端に超音波振動子２のホーン２ａの端部が突出され、ハンドピース１の側部にアンビル部３の摺動部材３ａが摺動可能に装着され、摺動部材３ａからアンビル３ｂがほぼ垂直に形成され、アンビル３ｂの端部は超音波振動子２のホーン２ａの端部と接触するように構成され、ハンドピース１の両側面に装着された回動軸４で回動部材５の三角部材５ａの頂点部分が支持され、又、回動部材５は三角部材５ａからハンドピース１の下方に斜めにレバー５ｂが形成され、さらに、回動部材５の三角部材５ａの底部近傍に駆動軸６が固着され、又、アンビル部３の摺動部材３ａを貫通して支持軸７が摺動部材３ａに固着され、駆動軸６と支持軸７の間にＵ字状のバネ８が装着され、又、ハンドピース１の側部に発振スイッチ９が装着され、レバー３ｂに装着した突出部５ｃで発振スイッチ９を押すようにした超音波溶着器が提案されている。
【０００３】
しかしながら、この超音波溶着器では、図８及び図９に示すように、超音波振動子２のホーン２ａの周囲とハンドピース１の端部の覆い板１ａの間に隙間１ｂが形成されているため、超音波振動子２のホーン２ａとの間に被溶着物１０を挟持して溶着する時、図１０に示すように、ホーン２ａが振動しているために、被溶着物１０の溶融物質１０ａが振動しているホーン２ａの周囲と覆い板１ａの間の隙間１ｂから下方に運ばれて伸びてしまい、この溶着部分１０ｂが薄くなり、強度に弱い部分ができるという問題がある。
【特許文献１】特願２００４−２５２２２６
【発明の開示】
【発明が解決しようとする課題】
【０００４】
解決しようとする問題点は、従来の超音波溶着器では、超音波振動子のホーンとハンドピースの覆い板との隙間に被溶着物の溶融部分がホーンの振動で運ばれて伸びてしまい、強度に弱い部分ができるという点である。
【課題を解決するための手段】
【０００５】
本発明では、ハンドピースは超音波振動子を内蔵し、超音波振動子のホーンの先端が端部に突出し、アンビル部はハンドピースの側部に摺動部材を装着し、該摺動部材から突出するアンビルの接触部が超音波振動子のホーンと対向するように装着され、支持板は超音波振動子のホーンの先端の周囲に装着され、内端に鋭角に突出するエッジをホーンの側面に接触され、被溶着物を溶着する時に、超音波振動子のホーンと支持板のエッジとの間に被溶着物の溶着物質を溜めるようにするものである。
【発明の効果】
【０００６】
本発明の超音波溶着器は、超音波振動子のホーンと支持板のエッジとの間に被溶着物の溶着物質を溜めるようにすることにより、被溶着物はこの溜まった溶融物質により、溶着部分の周囲が厚くなり、強度が強くなるという利点がある。
【実施例】
【０００７】
図１は本発明の実施例の超音波溶着器のアンビルとホーンの側面図、図２は図１の超音波溶着器の一部を切り欠いた断面図で、１はハンドピース、２は超音波振動子、３はアンビル部、３ａは摺動部材、３ｂはアンビル、４は回動軸、５は回動部材、６は駆動軸、７は支持軸、８はバネで、これらの構成は上記従来例と同じであるので、説明は省略するが、本実施例では、図３に示すように、超音波振動子２のホーン２ａの先端の周囲に合成樹脂製の板状の支持板１１を覆い板１ａに固着させ、この板状の支持板１１の中央部分に超音波振動子２のホーン２ａが挿入される孔１１ａが形成され、板状の支持板１１の孔１１ａの内端に鋭角に突出するエッジ１１ｂが形成され、このエッジ１１ｂをホーン２ａの側面に接触させるように構成する。
【０００８】
このように構成された本実施例の超音波溶着器では、図４に示すように、被溶着物１０をアンビル部３のアンビル３ｂと超音波振動子２のホーン２ａの先端で挟持して、超音波振動子２に発振器（図示せず）から発振出力を印加しながらアンビル３ｂをホーン２ａに近づけると、被溶着物１０が溶着されるとともに、被溶着物１０の溶融部分１０ｂが板状の支持板１１のエッジ１１ｂとホーン２ａの間に溜まるので、被溶着物１０をアンビル３ｂとホーン２ａの間から離すと、図５に示すように、この溜まった溶融部分１０ｂによって被溶着物１０に強度がでるという利点がある。
【産業上の利用可能性】
【０００９】
なお、上記実施例では、板状の支持板１１を合成樹脂製で構成するようにしたが、この合成樹脂としては、テフロン（登録商標）等の耐熱樹脂で構成され、又、樹脂に限らず、ホーン２からの振動が伝わり難く、耐熱があり、強度のある物質を使用してもよい。
【図面の簡単な説明】
【００１０】
【図１】本発明の実施例の超音波溶着器の上面図である。
【図２】図１の超音波溶着器のホーン部分の断面図である。
【図３】図１の超音波溶着器の支持板部分の斜視図である。
【図４】図１の超音波溶着器で被溶着物を溶着する状態を示した図である。
【図５】溶着した被溶着物の断面図である。
【図６】従来の超音波溶着器の側面図である。
【図７】図６の超音波溶着器の側面透視図である。
【図８】図６の超音波溶着器の上面透視図である。
【図９】図６の超音波溶着器のホーン部分の断面図である。
【図１０】図６の従来の超音波溶着器で被溶着物を溶着した状態を示したずである。
【符号の説明】
【００１１】
２                        超音波振動子
２ａ                      ホーン
３                        アンビル部
３ａ                      摺動部材
３ｂ                      アンビル
４                        回動軸
５                        回動部材
６                        駆動軸
７                        支持軸
８                        バネ
９                        スイッチ
１０                      被溶着物
１１                      板状の支持板
１１ａ                    孔
１１ｂ                    エッジ
【図１】
0004783941.tif 000002
【図２】
0004783941.tif 000003
【図３】
0004783941.tif 000004
【図４】
0004783941.tif 000005
【図５】
0004783941.tif 000006
【図６】
0004783941.tif 000007
【図７】
0004783941.tif 000008
【図８】
0004783941.tif 000009
【図９】
0004783941.tif 000010
【図１０】
0004783941.tif 000011